(57)【要約】【課題】入力側に簡単な回路を付加して直交変調器でスプリアス成分を相殺でき、また、信号源の増加、部品点数の増加、回路規模の増大を極力抑えた直交変調回路と送信機を得る。【解決手段】ベースバンド信号Ｉ，Ｑからノイズ成分のみをそれぞれ抽出して２倍に増幅する各高域通過型アクティブフィルタと、各ノイズ成分を差動ベースバンド信号Ｉ’，Ｑ’に合成して合成差動ベースバンド信号Ｉ’１，Ｑ’１をそれぞれ出力するそれぞれの合成器と、それぞれ対応するベースバンド信号Ｉ，Ｑと合成差動ベースバンド信号Ｉ’１，Ｑ’１から各チャネルに含まれるノイズ成分を相殺し局部発振波よって変調信号を出力する直交変調器とを備える。【選択図】        図１
2004215169.tif 000002
【特許請求の範囲】
【請求項１】
Ｉチャネルのベースバンド信号Ｉとその差動ベースバンド信号Ｉ’を出力するＤ／Ａコンバータと、
Ｑチャネルのベースバンド信号Ｑとその差動ベースバンド信号Ｑ’を出力するＤ／Ａコンバータと、
各チャネルのベースバンド信号Ｉ，Ｑからノイズ成分のみをそれぞれ抽出して２倍に増幅するそれぞれの高域通過型アクティブフィルタと、
前記それぞれの高域通過型アクティブフィルタから出力された各ノイズ成分を対応するチャネルの差動ベースバンド信号Ｉ’，Ｑ’に合成して合成差動ベースバンド信号Ｉ’１，Ｑ’１をそれぞれ出力するそれぞれの合成器と、
それぞれ対応するベースバンド信号Ｉ，Ｑと合成差動ベースバンド信号Ｉ’１，Ｑ’１から各チャネルに含まれるノイズ成分を相殺し、入力される局部発振波により変調信号を出力する直交変調器とを備えた直交変調回路。
【請求項２】
Ｉチャネルのベースバンド信号Ｉとその差動ベースバンド信号Ｉ’を出力するＤ／Ａコンバータと、
Ｑチャネルのベースバンド信号Ｑとその差動ベースバンド信号Ｑ’を出力するＤ／Ａコンバータと、
各チャネルの差動ベースバンド信号Ｉ’，Ｑ’からノイズ成分のみをそれぞれ抽出して２倍に増幅するそれぞれの高域通過型アクティブフィルタと、
前記それぞれの高域通過型アクティブフィルタから出力された各ノイズ成分を対応するチャネルのベースバンド信号Ｉ，Ｑに合成して合成ベースバンド信号Ｉ１，Ｑ１をそれぞれ出力するそれぞれの合成器と、
それぞれ対応する合成ベースバンド信号Ｉ１，Ｑ１と差動ベースバンド信号Ｉ’，Ｑ’から各チャネルに含まれるノイズ成分を相殺し、入力される局部発振波により変調信号を出力する直交変調器とを備えた直交変調回路。
【請求項３】
Ｉチャネルベースバンド信号とＱチャネル差動ベースバンド信号のノイズ成分を抽出し２倍に増幅する高域通過型アクティブフィルタと、
前記高域通過型アクティブフィルタから出力されたノイズ成分をＩチャネル差動ベースバンド信号とＱチャネルベースバンド信号に合成する合成器を備えた直交変調回路。
【請求項４】
Ｉチャネル差動ベースバンド信号とＱチャネルベースバンド信号のノイズ成分を抽出し２倍に増幅する高域通過型アクティブフィルタと、
前記高域通過型アクティブフィルタから出力されたノイズ成分をＩチャネルベースバンド信号とＱチャネル差動ベースバンド信号に合成する合成器を備えた直交変調回路。
【請求項５】
ＩチャネルのＤ／Ａコンバータから出力されるベースバンド信号Ｉとその差動ベースバンド信号Ｉ’のいずれか一方からノイズ成分のみを抽出して２倍に増幅する第１の高域通過型アクティブフィルタと、
ＱチャネルのＤ／Ａコンバータから出力されるベースバンド信号Ｑとその差動ベースバンド信号Ｑ’のいずれか一方からノイズ成分のみを抽出して２倍に増幅する第２の高域通過型アクティブフィルタと、
第１の高域通過型アクティブフィルタから出力されたノイズ成分を対応する差動ベースバンド信号Ｉ’またはベースバンド信号Ｉに合成して合成信号Ｉ’１またはＩ１を出力する合成器と、
第２の高域通過型アクティブフィルタから出力されたノイズ成分を対応する差動ベースバンド信号Ｑ’またはベースバンド信号Ｑに合成して合成信号Ｑ’１もしくはＱ１を出力する合成器と、
それぞれ対応するベースバンド信号Ｉまたは差動ベースバンド信号Ｉ’と合成信号Ｉ’１またはＩ１とから、また同時にベースバンド信号Ｑまたは差動ベースバンド信号Ｑ’と合成信号Ｑ’１もしくはＱ１とから各チャネルに含まれるノイズ成分を相殺し、入力される局部発振波により変調信号を出力する直交変調器と、
出力された変調信号を増幅する高周波増幅器と、
増幅された変調信号が給電され電波として送信するアンテナとを備えた送信機。
【発明の詳細な説明】
【０００１】
【発明の属する技術分野】
この発明は、無線通信システム等で、ベースバンド信号のノイズ成分が原因で発生するスプリアスを低減して変調信号を得るための直交変調回路および送信機に関するものである。
【０００２】
【従来の技術】
無線通信システム等でキャリア信号を変調する方式として様々な方式があるが、近年普及しつつあるＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）システムではＱＰＳＫ（Ｑｕａｄｒａｔｕｒｅ  Ｐｈａｓｅ  Ｓｈｉｆｔ  Ｋｅｙｉｎｇ）方式が用いられ、そのため基地局には直交変調回路を備えている。図６は従来の直交変調回路の構成を示すブロック図である。図において、Ｄ／Ａコンバータ１ａからはＩチャネルベースバンド信号とＩチャネル差動ベースバンド信号が出力される。またＤ／Ａコンバータ１ｂからはＱチャネルベースバンド信号とＱチャネル差動ベースバンド信号が出力される。Ｄ／Ａコンバータ１ａおよび１ｂから出力された各ベースバンド信号は、直交変調器３に入力され、ここで局部発振器２から入力される局部発振波によって直交変調され、無線周波数の変調信号として出力される。
【０００３】
このような直交変調回路において、直交変調器３から出力される変調信号にはＤ／Ａコンバータ１ａ，１ｂによりデジタル・アナログ変換する際に発生するサンプリングノイズ等がベースバンド信号に含まれており、このノイズ成分が変調信号の近傍周波数にスプリアスとして現れる。近傍に発生するスプリアスは、隣接チャネル漏洩電力等で規定される無線性能を劣化させる。そのため、直行変調器３から出力された変調信号は帯域通過フィルタ４を通過させ、変調信号の近傍周波数に含まれるスプリアス成分を除去するようにしている。したがって、帯域通過フィルタ４としては、変調信号のみを通過させ、近傍のスプリアスを除去する急峻な減衰特性を備えることが必要となる。
【０００４】
また、従来の技術として、図７に無線システム等で使用される直交変調回路の構成を示す。図において、Ｄ／Ａコンバータ１ａ，１ｂから出力されるＩチャネルおよびＱチャネルベースバンド信号とそれぞれの差動ベースバンド信号を低域通過フィルタ５ａ，５ｂ，５ｃ，５ｄを介して直交変調器３に入力するようにしている。この場合、各チャネルのベースバンド信号に発生するサンプリングノイズ等のスプリアス成分は、低域通過フィルタ５ａ，５ｂ，５ｃ，５ｄによってそれぞれ除去される。直交変調器３では、スプリアス成分を除去した各チャネルのベースバンド信号と局部発振器２から出力される局部発振波を入力することで直交変調を行い、直交変調器３からは無線周波数の変調信号が出力される。
【０００５】
また、この発明の直交変調回路に類似する従来の技術の回路配置として、差動入力端子を持つ直交変調器を用い、その入力側に低域フィルタ設け、ベースバンド信号から直流成分を抽出して差動入力端子に入力する直交変調回路がある（例えば、特許文献１参照）。これは、ベースバンド信号に直流成分が含まれていると、変調信号がない場合にもキャリアが出力されてしまう現象、所謂キャリアリークが生じ、周波数を占有して、他の通信の妨害や無駄な電力消費につながるのを防ぐためのものである。
【０００６】
【特許文献１】
特開２００２−２２３２５８公報（図１）
【０００７】
【発明が解決しようとする課題】
従来の直交変調回路は以上のように構成されているので、次のような問題がある。図６のように直交変調器の出力端に特定の周波数を通過させる帯域通過フィルタを備える直交変調回路は、直交変調器から出力される変調信号の周波数を可変することができなくなる。その結果、実際の無線送信機ではヘテロダイン方式の送信機を構成することになり、変調信号をアップコンバージョンするためのミクサや局部発振器を追加することが必要となり、信号源の増加、部品点数の増加、回路規模の増大につながるという問題があった。
【０００８】
また、図７のように、直交変調器の入力側に低域通過フィルタを設けてスプリアスの原因となるベースバンド信号のノイズをあらかじめ除去する直交変調回路の場合には、出力される変調信号について、隣接チャネル漏洩電力等で規定される無線特性を満足させるために、ベースバンド信号に存在するノイズ成分を十分に除去する必要がある。したがって、周波数特性の良い高次の低域通過フィルタが要求されるが、そのために部品点数の増加、回路規模の増大が問題となっていた。
【０００９】
また、特許文献１の記載された回路は、直交変調器にＩ，Ｑ信号と抽出したその直流成分のみを入力しているので、キャリアリークの軽減には有効であるが、スプリアス成分の低減を行うことはできない。
【００１０】
この発明は上記のような課題を解決するためになされたもので、入力側に簡単な回路を付加して直交変調器でスプリアス成分を相殺でき、また、信号源の増加、部品点数の増加、回路規模の増大を極力抑えた直交変調回路および送信機を得ることを目的とする。
【００１１】
【課題を解決するための手段】
この発明に係る直交変調回路は、Ｉチャネルのベースバンド信号Ｉとその差動ベースバンド信号Ｉ’を出力するＤ／Ａコンバータと、Ｑチャネルのベースバンド信号Ｑとその差動ベースバンド信号Ｑ’を出力するＤ／Ａコンバータと、各チャネルのベースバンド信号Ｉ，Ｑからノイズ成分のみをそれぞれ抽出して２倍に増幅するそれぞれの高域通過型アクティブフィルタと、前記それぞれの高域通過型アクティブフィルタから出力された各ノイズ成分を対応するチャネルの差動ベースバンド信号Ｉ’，Ｑ’に合成して合成差動ベースバンド信号Ｉ’１，Ｑ’１をそれぞれ出力するそれぞれの合成器と、それぞれ対応するベースバンド信号Ｉ，Ｑと合成差動ベースバンド信号Ｉ’１，Ｑ’１から各チャネルに含まれるノイズ成分を相殺し、入力される局部発振波により変調信号を出力する直交変調器とを備えたものである。
【００１２】
【発明の実施の形態】
以下、この発明の実施の一形態を説明する。
実施の形態１．
図１はこの発明の実施の形態１による直交変調回路の構成を示すブロック図である。図において、Ｄ／Ａコンバータ１ａからはＩチャネルのベースバンド信号Ｉとその差動ベースバンド信号Ｉ’が出力され、他方のＤ／Ａコンバータ１ｂからはＱチャネルのベースバンド信号Ｑとその差動ベースバンド信号Ｑ’が出力されるようにしている。Ｄ／Ａコンバータ１ａから出力されたベースバンド信号Ｉは２分岐され、その一方はノイズ成分を抽出する高域通過型アクティブフィルタ６ａに入力される。高域通過型アクティブフィルタ６ａに入力されたベースバンド信号Ｉは、変調に必要な基本波成分が除去され、ノイズ成分が２倍の信号レベルに増幅される。高域通過型アクティブフィルタ６ａから出力されたベースバンド信号Ｉのノイズ成分は、合成器７ａにより反転関係にある差動ベースバンド信号Ｉ’と合成され、合成差動ベースバンド信号Ｉ’１を出力する。Ｑチャネル成分についても同様で、高域通過型アクティブフィルタ６ｂ、合成器７ｂを用いて合成差動ベースバンド信号Ｑ’１を出力するようにしている。
【００１３】
Ｉチャネルのベースバンド信号Ｉと、合成器７ａから出力された合成差動ベースバンド信号Ｉ’１は、基本波成分においては反転レベルを持つ関係を保持している。また、ノイズ成分については、ベースバンド信号Ｉのノイズ成分を２倍したものと差動ベースバンド信号Ｉ’のノイズ成分が合成されることから、ベースバンド信号Ｉのノイズとは非反転レベルのノイズが存在することになる。また、Ｑチャネルのベースバンド信号Ｑと合成差動ベースバンド信号Ｑ’１についても同様で、基本波成分は反転レベル、ノイズ成分は非反転レベルの関係を持つことになる。
【００１４】
ＩチャネルおよびＱチャネルのベースバンド信号Ｉ，Ｑと合成器７ａ，７ｂから出力された合成差動ベースバンド信号Ｉ’１，Ｑ’１は、直交変調器３のＩ／Ｑ入力および差動入力端子にそれぞれ入力される。直交変調器３では、局部発振器２から出力される局部発振波と各チャネルのベースバンド信号Ｉ，Ｑとそれぞれの合成差動ベースバンド信号Ｉ’１，Ｑ’１を入力することで直交変調し、変調信号を生成する。この時、Ｉチャネルのベースバンド信号Ｉと合成差動ベースバンド信号Ｉ’１の基本波成分は反転レベルを保っていることから、そのまま変調信号に変調される。ノイズ成分については非反転レベルで入力されることから、直交変調器３の内部で相殺される。Ｑチャネルの信号についても同様で、ノイズ成分は直交変調器３の内部で相殺される。これにより直交変調器３から出力される信号は、ベースバンド信号のノイズ成分が原因で発生するスプリアスを低減することができる。
【００１５】
以上のように、本実施の形態１によれば、高域通過型アクティブフィルタ６ａ，６ｂにより、各チャネルのベースバンド信号Ｉ，Ｑからノイズ成分のみをそれぞれ抽出して２倍に増幅し、合成器７ａ，７ｂにより、それぞれの高域通過型アクティブフィルタ６ａ，６ｂから出力された各ノイズ成分を対応するチャネルの差動ベースバンド信号Ｉ’，Ｑ’に合成して合成差動ベースバンド信号Ｉ’１，Ｑ’１をそれぞれ出力し、直交変調器３により、それぞれ対応するベースバンド信号Ｉ，Ｑと合成差動ベースバンド信号Ｉ’１，Ｑ’１から各チャネルに含まれるノイズ成分を相殺するようにしたので、スプリアス成分が変調信号に現れないようノイズ成分を低減する効果が得られる。また、そのために用いられる高域通過型アクティブフィルタ６ａ，６ｂと合成器７ａ，７ｂは回路構成を極めて簡単にすることができる。
【００１６】
実施の形態２．
図２はこの発明の実施の形態２による直交変調回路の構成を示すブロック図である。図において、図１と異なる部分は、高域通過型アクティブフィルタ６ａ，６ｂがＩチャネルおよびＱチャネル差動ベースバンド信号のノイズ成分を抽出して２倍に増幅するように挿入され、合成器７ａ，７ｂがＩチャネルおよびＱチャネルの差動ベースバンド信号Ｉ’，Ｑ’のノイズ成分と対応するベースバンド信号Ｉ，Ｑを合成するようにした点である。
【００１７】
図２の構成では、ＩチャネルおよびＱチャネルの差動ベースバンド信号Ｉ’，Ｑ’のノイズ成分をそれぞれ抽出し増幅した後、反転信号である対応するベースバンド信号Ｉ，Ｑに合成することで、スプリアス成分が非反転の関係となる合成ベースバンド信号Ｉ１，Ｑ１をそれぞれ生成する。合成ベースバンド信号Ｉ１，Ｑ１と対応する差動ベースバンド信号Ｉ’，Ｑ’を直交変調器３に入力することでノイズ成分は直交変調器３の内部で相殺される。これによりスプリアスの発生を低減することができる。
【００１８】
以上のように、この発明の実施の形態２によれば、高域通過型アクティブフィルタ６ａ，６ｂにより、各チャネルの差動ベースバンド信号Ｉ’，Ｑ’からノイズ成分のみをそれぞれ抽出して２倍に増幅し、合成器７ａ，７ｂにより、それぞれの高域通過型アクティブフィルタ６ａ，６ｂから出力された各ノイズ成分を対応するチャネルのベースバンド信号Ｉ，Ｑに合成して合成ベースバンド信号Ｉ１，Ｑ１をそれぞれ出力し、直交変調器３により、それぞれ対応する合成ベースバンド信号Ｉ１，Ｑ１と差動ベースバンド信号Ｉ’，Ｑ’から各チャネルに含まれるノイズ成分を相殺するようにしたので、スプリアス成分が変調信号に現れないようにノイズ成分を低減する効果が得られる。また、そのために用いられる高域通過型アクティブフィルタ６ａ，６ｂと合成器７ａ，７ｂは回路構成を極めて簡単にすることができる。
【００１９】
実施の形態３．
図３はこの発明の実施の形態３による直交変調回路の構成を示すブロック図である。図において、図１と異なるのは、高域通過型アクティブフィルタ６ｂがＱチャネルの差動ベースバンド信号Ｑ’のノイズ成分を抽出して２倍に増幅するように挿入され、合成器７ｂが差動ベースバンド信号Ｑのノイズ成分とＱチャネルベースバンド信号を合成するようにした点である。
【００２０】
図３に示した構成では、Ｉチャネルのベースバンド信号ＩとＱチャネルの差動ベースバンド信号Ｑのノイズ成分をそれぞれ抽出して２倍に増幅した後、反転信号である対応する差動ベースバンド信号Ｉ’とベースバンド信号Ｑにノイズ成分を合成することで、スプリアス成分が非反転の関係になる合成差動ベースバンド信号Ｉ’１および合成ベースバンド信号Ｑ１を生成する。したがって、直交変調器３に入力される各チャネルのベースバンド信号Ｉと合成差動ベースバンド信号Ｉ’１の間、また合成ベースバンド信号Ｑ１と差動ベースバンド信号Ｑ’の間には、基本波成分が反転レベル、ノイズ成分は非反転レベルの関係が成り立つので、ノイズ成分は直交変調器３の内部で相殺される。これによりスプリアスの発生を低減できる。
【００２１】
以上のように、この実施の形態３によれば、高域通過型アクティブフィルタ６ａ，６ｂにより、Ｉチャネルのベースバンド信号ＩおよびＱチャネルの差動ベースバンド信号Ｑ’からノイズ成分のみをそれぞれ抽出して２倍に増幅し、合成器７ａ，７ｂにより、それぞれの高域通過型アクティブフィルタ６ａ，６ｂから出力された各ノイズ成分を対応するチャネルの差動ベースバンド信号Ｉ’およびベースバンド信号Ｑに合成して合成差動ベースバンド信号Ｉ’１および合成ベースバンド信号Ｑ１をそれぞれ出力し、直交変調器３により、それぞれ対応するチャネルのベースバンド信号Ｉと合成差動ベースバンド信号Ｉ’１および合成ベースバンド信号Ｑ１と差動ベースバンド信号Ｑ’から各チャネルに含まれるノイズ成分を相殺するようにしたので、スプリアス成分が変調信号に現れないようにノイズ成分を低減する効果が得られる。また、そのために用いられる高域通過型アクティブフィルタ６ａ，６ｂと合成器７ａ，７ｂは回路構成を極めて簡単にすることができる。
【００２２】
実施の形態４．
図４はこの発明の実施の形態４による直交変調回路の構成を示すブロック図である。図において、図１と異なるのは、高域通過型アクティブフィルタ６ａがＩチャネルの差動ベースバンド信号Ｉ’のノイズ成分のみを抽出して２倍に増幅するように挿入され、合成器７ａがそのノイズ成分とＩチャネルのベースバンド信号Ｉを合成するようにした点である。この実施の形態４の構成は、上述の実施の形態３における構成と対称的である。
【００２３】
図４に示した構成では、Ｉチャネルの差動ベースバンド信号Ｉ’とＱチャネルのベースバンド信号Ｑのノイズ成分をそれぞれ抽出して増幅した後、反転信号であるＩチャネルのベースバンド信号ＩおよびＱチャネルの差動ベースバンド信号Ｑ’に合成することで、スプリアス成分が非反転の関係になる合成ベースバンド信号Ｉ１と合成差動ベースバンド信号Ｑ’１を生成する。直交変調器３に入力される各チャネルの合成ベースバンド信号Ｉ１と差動ベースバンド信号Ｉ’の間、またベースバンド信号Ｑと合成差動ベースバンド信号Ｑ’１の間には、基本波成分は反転レベル、ノイズ成分は非反転レベルの関係が成り立つので、ノイズ成分は直交変調器３の内部で相殺される。これによりスプリアスの発生を低減することができる。
【００２４】
以上のように、この実施の形態４によれば、高域通過型アクティブフィルタ６ａ，６ｂにより、Ｉチャネルの差動ベースバンド信号Ｉ’およびＱチャネルのベースバンド信号Ｑからノイズ成分のみをそれぞれ抽出して２倍に増幅し、合成器７ａ，７ｂにより、それぞれの高域通過型アクティブフィルタ６ａ，６ｂから出力された各ノイズ成分を対応するチャネルのベースバンド信号Ｉおよび差動ベースバンド信号Ｑ’に合成して合成ベースバンド信号Ｉ１および合成差動ベースバンド信号Ｑ’１をそれぞれ出力し、直交変調器３により、それぞれ対応するチャネルの合成ベースバンド信号Ｉ１と差動ベースバンド信号Ｉ’およびベースバンド信号Ｑと差動ベースバンド信号Ｑ’１から各チャネルに含まれるノイズ成分を相殺するようにしたので、スプリアス成分が変調信号に現れないようにノイズ成分を低減する効果が得られる。また、そのために用いられる高域通過型アクティブフィルタ６ａ，６ｂと合成器７ａ，７ｂは回路構成を極めて簡単にすることができる。
【００２５】
実施の形態５．
図５はこの発明の実施の形態５による送信機の構成を示すブロック図で、上記実施の形態１に示した直交変調回路を適用した送信機の例を示すものである。直交変調回路の詳細な説明については省略する。
直交変調器３から出力された変調信号は、帯域通過フィルタ８で局部発振波の高調波成分を除去し高周波増幅器９に入力される。高周波増幅器９では、変調信号を所望の信号レベルまで増幅し、低域通過フィルタ１０に出力する。低域通過フィルタ１０は、高周波増幅器９で信号を増幅する際に発生した高調波成分を除去し、その出力変調信号をアンテナ１１に給電し、電波として出力させる。
【００２６】
以上のように、実施の形態５によれば、実施の形態１の直交変調回路を用いた構成とすることにより、十分にスプリアス成分を除去した変調信号を送信することが可能となり、かつスプリアス除去手段の構成において部品点数を少なくした小型の送信機を実現する効果が得られる。なお、実施の形態２から実施の形態４における直交変調回路を適用した送信機においても同様な効果を奏する。
【００２７】
【発明の効果】
以上のように、この発明によれば、差動入力端子付き直交変調器に入力するＩチャネルおよびＱチャネルについて、基本波成分は反転レベル、ノイズ成分は非反転レベルの関係にあるベースバンド信号と差動ベースバンド信号をそれぞれ生成し入力することにより直交変調器内でノイズ成分を相殺し、変調信号を得るように構成したので、変調信号に発生するスプリアスを低減する効果があり、またそのために加える部品は、小型の高域通過型アクティブフィルタと合成器だけで済み、少ない部品点数で有効にスプリアス除去を行える直交変調回路を実現する効果がある。
【図面の簡単な説明】
【図１】この発明の実施の形態１による直交変調回路の構成を示すブロック図である。
【図２】この発明の実施の形態２による直交変調回路の構成を示すブロック図である。
【図３】この発明の実施の形態３による直交変調回路の構成を示すブロック図である。
【図４】この発明の実施の形態４による直交変調回路の構成を示すブロック図である。
【図５】この発明の実施の形態５による送信機の構成を示すブロック図である。
【図６】従来の直交変調回路の構成を示すブロック図である。
【図７】従来の直交変調回路の他の構成を示すブロック図である。
【符号の説明】
１ａ，１ｂ  Ｄ／Ａコンバータ、２  局部発振器、３  直交変調器、６ａ，６ｂ  高域通過型アクティブフィルタ、７ａ，７ｂ  合成器、８  帯域通過フィルタ、９  高周波増幅器、１０  低域通過フィルタ、１１  アンテナ。
【図１】
2004215169.tif 000003
【図２】
2004215169.tif 000004
【図３】
2004215169.tif 000005
【図４】
2004215169.tif 000006
【図５】
2004215169.tif 000007
【図６】
2004215169.tif 000008
【図７】
2004215169.tif 000009